(57)【要約】【課題】  簡素な構造であって、容易且つ確実に位置調整ができ、位置精度および接合強度が保証される安価な上部構造物と鋼管杭との接合構造および接合方法を提供することを目的とする。【解決手段】  接合構造１ａは、鋼管杭２と、鋼管杭２を把持する把持金物３２と、把持金物３２に昇降自在に設置された鉛直ネジ３０と、鉛直ネジ３０に支持されている環状の底板４と、底板４に載置され、水平ネジ５０が設置された鞘管５１と、鞘管５１に固定された天板５２と、天板５１に設置された上部構造物７１と、鞘管５１と鋼管杭２との間に充填されたコンクリート６とを有する。したがって、天板５２は、鉛直ネジ３０よって鉛直方向の位置が調整され、水平ネジ５０によって水平方向の位置が調整され、水平方向の移動が拘束されている。また、コンクリート６が固化した後、把持金物３２を撤去する。【選択図】        図１
2005226309.tif 000002
【特許請求の範囲】
【請求項１】
地盤に立設された杭と、
該杭の上部が通過自在な内径の孔を具備する底板と、
該底板に載置され、側壁を貫通する水平ネジ孔が設けられた鞘管と、
該鞘管の上端に固定された天板と、
前記水平ネジ孔に螺合して前記鞘管の側壁を貫通して進退自在な水平ネジ棒と、
前記鞘管の内部に充填されたコンクリートまたはモルタルと、
前記天板に設置された上部構造物とを有し、
前記杭の外周面に前記水平ネジ棒の先端を当接して進退することによって前記鞘管および天板の水平位置が調整され且つ水平移動が拘束され、あるいは、前記鞘管および天板の水平位置が調整された後、前記杭の外周面に前記水平ネジ棒の先端を当接することによって水平移動が拘束され、該水平移動が拘束された天板に前記上部構造物が設置されていることを特徴とする上部構造物と杭との接合構造。
【請求項２】
前記底板の下方において杭の外周面に固定された鉛直ネジ用フランジと、該鉛直ネジ用フランジに設けられた鉛直ネジ孔と、該鉛直ネジ孔に螺合して昇降する鉛直ネジ棒とを有し、
該鉛直ネジ棒の先端を前記底板に当接して昇降することによって前記底板の鉛直位置が調整されていることを特徴とする請求項１記載の上部構造物と杭との接合構造。
【請求項３】
前記底板の下方において杭の外周面を把持する把持金物と、該把持金物に固定された鉛直ネジ用フランジと、該鉛直ネジ用フランジに設けられた鉛直ネジ孔と、該鉛直ネジ孔に螺合して昇降する鉛直ネジ棒とを有し、
前記把持金物が、貫通孔が設けられたフランジを両端に具備する断面円弧状体であって、一方の断面円弧体のフランジと他方の断面円弧体のフランジとを対峙して、それぞれのフランジの貫通孔に締め付けボルトを挿通して、これを締め付けることによって前記杭を把持し、
前記鉛直ネジ棒の先端を前記底板に当接して昇降することによって前記底板の鉛直位置が調整されていることを特徴とする請求項１記載の上部構造物と杭との接合構造。
【請求項４】
前記底板が前記鞘管に固定されていることを特徴とする請求項１乃至３の何れかに記載の上部構造物と杭との接合構造。
【請求項５】
前記杭の外周面と前記底板との隙間を塞ぐ隙間閉塞手段を有していることを特徴とする請求項１乃至４の何れかに記載の上部構造物と杭との接合構造。
【請求項６】
前記杭の上部外周面または前記鞘管の内周面の一方または両方に、突起または突条が設置されていることを特徴とする請求項１乃至５の何れかに記載の上部構造物と杭との接合構造。
【請求項７】
鉛直ネジ孔が設けられた鉛直ネジ用フランジと、該鉛直ネジ用フランジに昇降自在に螺合する鉛直ネジ棒とを有する鉛直調整治具を、地盤に立設されている杭の上部に設置する工程と、
前記杭の上部が通過自在な内径の孔を具備する底板を、前記鉛直調整治具の鉛直ネジ棒の上端に載置する工程と、
前記鉛直ネジ棒を昇降して、前記底板の鉛直方向の位置を調整する工程と、
側壁を貫通する水平ネジ孔が設けられた鞘管と、該鞘管の上端に固定された天板と、前記水平ネジ孔に螺合して前記鞘管の側壁を貫通して進退自在な水平ネジ棒とを有する水平調整治具を、前記底板に載置する工程と、
前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする上部構造物と杭との接合方法。
【請求項８】
貫通孔が設けられたフランジを両端に具備する断面円弧状体であって、一方の断面円弧体のフランジと他方の断面円弧体のフランジとを対峙して、それぞれのフランジの貫通孔に締め付けボルトを挿通して、これを締め付けることによって前記杭を把持する把持金物と、該把持金物に固定された鉛直ネジ用フランジと、該鉛直ネジ用フランジに設けられた鉛直ネジ孔と、該鉛直ネジ孔に螺合して昇降する鉛直ネジ棒とを有する鉛直調整治具を、地盤に立設されている杭の上部に設置する工程と、
前記杭の上部が通過自在な内径の孔を具備する底板を、前記鉛直調整治具の鉛直ネジ棒の上端に載置する工程と、
前記鉛直ネジ棒を昇降して、前記底板の鉛直方向の位置を調整する工程と、
側壁を貫通する水平ネジ孔が設けられた鞘管と、該鞘管の上端に固定された天板と、前記水平ネジ孔に螺合して前記鞘管の側壁を貫通して進退自在な水平ネジ棒とを有する水平調整治具を、前記底板に載置する工程と、
前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする上部構造物と杭との接合方法。
【請求項９】
鉛直ネジ孔が設けられた鉛直ネジ用フランジと、該鉛直ネジ用フランジに昇降自在に螺合する鉛直ネジ棒とを有する鉛直調整治具を、地盤に立設されている杭の上部に設置する工程と、
前記杭の上部が通過自在な内径の孔を具備する底板を、前記鉛直調整治具の鉛直ネジ棒の上端に載置する工程と、
側壁を貫通する水平ネジ孔が設けられた鞘管と、該鞘管の上端に固定された天板と、前記水平ネジ孔に螺合して前記鞘管の側壁を貫通して進退自在な水平ネジ棒とを有する水平調整治具を、前記底板に載置する工程と、
前記鉛直ネジ棒を昇降して前記天板および鞘管および底板の鉛直方向の位置を調整する工程と、
前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする上部構造物と杭との接合方法。
【請求項１０】
貫通孔が設けられたフランジを両端に具備する断面円弧状体であって、一方の断面円弧体のフランジと他方の断面円弧体のフランジとを対峙して、それぞれのフランジの貫通孔に締め付けボルトを挿通して、これを締め付けることによって前記杭を把持する把持金物と、該把持金物に固定された鉛直ネジ用フランジと、該鉛直ネジ用フランジに設けられた鉛直ネジ孔と、該鉛直ネジ孔に螺合して昇降する鉛直ネジ棒とを有する鉛直調整治具を、地盤に立設されている杭の上部に設置する工程と、
前記杭の上部が通過自在な内径の孔を具備する底板を、前記鉛直調整治具の鉛直ネジ棒の上端に載置する工程と、
側壁を貫通する水平ネジ孔が設けられた鞘管と、該鞘管の上端に固定された天板と、前記水平ネジ孔に螺合して前記鞘管の側壁を貫通して進退自在な水平ネジ棒とを有する水平調整治具を、前記底板に載置する工程と、
前記鉛直ネジ棒を昇降して前記天板および鞘管および底板の鉛直方向の位置を調整する工程と、
前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする上部構造物と杭との接合方法。
【請求項１１】
鉛直ネジ孔が設けられた鉛直ネジ用フランジと、該鉛直ネジ用フランジに昇降自在に螺合する鉛直ネジとを有する鉛直調整治具を、地盤に立設されている杭の上部に設置する工程と、
側壁を貫通する水平ネジ孔が設けられた鞘管と、該鞘管の下端に固定された前記杭の上部が通過自在な内径の孔を具備する底板と、該鞘管の上端に固定された天板と、前記水平ネジ孔に螺合して前記鞘管の側壁を貫通して進退自在な水平ネジ棒とを有する水平調整治具を、鉛直ネジ棒の上端に載置する工程と
前記鉛直ネジ棒を昇降して前記底板の鉛直方向の位置を調整し、さらに、前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする上部構造物と杭との接合方法。
【請求項１２】
貫通孔が設けられたフランジを両端に具備する断面円弧状体であって、一方の断面円弧体のフランジと他方の断面円弧体のフランジとを対峙して、それぞれのフランジの貫通孔に締め付けボルトを挿通して、これを締め付けることによって前記杭を把持する把持金物と、該把持金物に固定された鉛直ネジ用フランジと、該鉛直ネジ用フランジに設けられた鉛直ネジ孔と、該鉛直ネジ孔に螺合して昇降する鉛直ネジ棒とを有する鉛直調整治具を、地盤に立設されている杭の上部に設置する工程と、
側壁を貫通する水平ネジ孔が設けられた鞘管と、該鞘管の下端に固定された前記杭の上部が通過自在な内径の孔を具備する底板と、該鞘管の上端に固定された天板と、前記水平ネジ孔に螺合して前記鞘管の側壁を貫通して進退自在な水平ネジ棒とを有する水平調整治具を、鉛直ネジ棒の上端に載置する工程と
前記鉛直ネジ棒を昇降して前記底板の鉛直方向の位置を調整し、さらに、前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする上部構造物と杭との接合方法。
【請求項１３】
前記鞘管の内部に充填したコンクリートまたはモルタルが固化した後に、
前記鉛直調整治具を撤去する工程を有することを特徴とする請求項７乃至１２の何れかに記載の上部構造物と杭との接合方法。
【発明の詳細な説明】
【技術分野】
【０００１】
本発明は、建築構造物や土木構造物において、上部構造物と、該上部構造物を支持する杭とを接合する、上部構造物と杭との接合構造および接合方法に関する。
【背景技術】
【０００２】
上部構造物と杭とを鉄筋コンクリート（ＲＣ）製のフーチングや基礎梁等を介して接合する接合方法は、従来多用されているものの、配筋が繁雑になったり地盤の掘削量が増えたりするためコスト低減や工期短縮が阻害されていた。また、立設した杭の上端を所定の高さ位置になるように切断して、これに上部構造物を直接溶接する接合方法は、切断後の微調整ができないため位置精度の保証、並びに現場溶接を必要とするため接合強度の保証が困難であった。
このため、上部構造物と杭との間に配置する機械的な位置調整機構を具備する接合金物が開発され、これを用いた上部構造物と杭との接合構造が開示されている（例えば、特許文献１参照）。
【０００３】
【特許文献１】特開２００２−１４６８００号公報（４−５頁、図２）
【発明の開示】
【発明が解決しようとする課題】
【０００４】
しかしながら、特許文献１に開示された接合金物は、杭の上端面に当接して鉛直荷重を支持する鉛直固定ボルトと杭の側面に当接して平面的位置を確定する水平固定ボルトとを有し、水平固定ボルトを締め付けることによって水平位置のずれを調整するものであるため、以下の問題があった。
すなわち、一般に、上部構造物（たとえば、基礎梁等）に要求される精度は数ｍｍと僅かであるのに対し、杭の施工精度は数１０ｍｍ程度と大きいため、前記水平固定ボルトによって接合金物を水平方向に移動すると、前記鉛直固定ボルトは杭の上端面から外れてしまい、最早荷重を支持することができなくなっていた。
また、移動距離が僅かな場合であっても、必ずしも平滑でない上端面に上部構造物の荷重を押しつけながら、該上端面の上で前記鉛直固定ボルトの先端を滑らせることは容易で無かった。このため、前記接合金物は、水平方向の位置調整をすることが実質的には不可能であった。
さらに、水平方向の位置調整ができた場合であっても、杭と上部構造物とを仮固定した後に、根切りに無筋コンクリートを打設して前記結合金物を埋め殺しにするものであるため、結合に要するコンクリートの使用量が多量になり、コストの上昇が予測されるものであった。
【０００５】
本発明は上記に鑑みてなされたものであって、コンクリートの使用を最少に抑えた簡素な構造であって、容易且つ確実に位置調整ができ、位置精度および接合強度が保証される安価な上部構造物と杭との接合構造、並びに、簡単な作業であって、容易且つ確実に位置調整ができ、位置精度および接合強度が保証される安価な上部構造物と杭との接合方法を提供することを目的とする。
【課題を解決するための手段】
【０００６】
本発明に係る上部構造物と杭との接合構造は、
（１）地盤に立設された杭と、
該杭の上部が通過自在な内径の孔を具備する底板と、
該底板に載置され、側壁を貫通する水平ネジ孔が設けられた鞘管と、
該鞘管の上端に固定された天板と、
前記水平ネジ孔に螺合して前記鞘管の側壁を貫通して進退自在な水平ネジ棒と、
前記鞘管の内部に充填されたコンクリートまたはモルタルと、
前記天板に設置された上部構造物とを有し、
前記杭の外周面に前記水平ネジ棒の先端を当接して進退することによって前記鞘管および天板の水平位置が調整され且つ水平移動が拘束され、あるいは、前記鞘管および天板の水平位置が調整された後、前記杭の外周面に前記水平ネジ棒の先端を当接することによって水平移動が拘束され、該水平移動が拘束された天板に前記上部構造物が設置されていることを特徴とする。
【０００７】
（２）また、前記底板の下方において杭の外周面に固定された鉛直ネジ用フランジと、該鉛直ネジ用フランジに設けられた鉛直ネジ孔と、該鉛直ネジ孔に螺合して昇降する鉛直ネジ棒とを有し、
該鉛直ネジ棒の先端を前記底板に当接して昇降することによって前記底板の鉛直位置が調整されていることを特徴とする請求項１記載の上部構造物と杭との接合構造。
鉛直方向に鉛直ネジ孔が設けられ、前記底板の下方において前記杭に設置された把持金物と、
前記鉛直ネジ孔に螺合する昇降自在な鉛直ネジ棒とを有し、
該鉛直ネジ棒の先端を前記底板に当接して昇降することによって前記底板の鉛直位置が調整されていることを特徴とする。
【０００８】
（３）また、前記底板の下方において杭の外周面を把持する把持金物と、該把持金物に固定された鉛直ネジ用フランジと、該鉛直ネジ用フランジに設けられた鉛直ネジ孔と、該鉛直ネジ孔に螺合して昇降する鉛直ネジ棒とを有し、
前記把持金物が、貫通孔が設けられたフランジを両端に具備する断面円弧状体であって、一方の断面円弧体のフランジと他方の断面円弧体のフランジとを対峙して、それぞれのフランジの貫通孔に締め付けボルトを挿通して、これを締め付けることによって前記杭を把持し、
前記鉛直ネジ棒の先端を前記底板に当接して昇降することによって前記底板の鉛直位置が調整されていることを特徴とする。
【０００９】
（４）また、前記底板が前記鞘管に固定されていることを特徴とする。
【００１０】
（５）また、前記杭の外周面と前記底板との隙間を塞ぐ隙間閉塞手段を有していることを特徴とする。
【００１１】
（６）前記杭の上部外周面または前記鞘管の内周面の一方または両方に、突起または突条が設置されていることを特徴とする。
【００１２】
（７）さらに、本発明に係る上部構造物と杭との接合方法は、鉛直ネジ孔が設けられた鉛直ネジ用フランジと、該鉛直ネジ用フランジに昇降自在に螺合する鉛直ネジ棒とを有する鉛直調整治具を、地盤に立設されている杭の上部に設置する工程と、
前記杭の上部が通過自在な内径の孔を具備する底板を、前記鉛直調整治具の鉛直ネジ棒の上端に載置する工程と、
前記鉛直ネジ棒を昇降して、前記底板の鉛直方向の位置を調整する工程と、
側壁を貫通する水平ネジ孔が設けられた鞘管と、該鞘管の上端に固定された天板と、前記水平ネジ孔に螺合して前記鞘管の側壁を貫通して進退自在な水平ネジ棒とを有する水平調整治具を、前記底板に載置する工程と、
前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする。
【００１３】
（８）また、貫通孔が設けられたフランジを両端に具備する断面円弧状体であって、一方の断面円弧体のフランジと他方の断面円弧体のフランジとを対峙して、それぞれのフランジの貫通孔に締め付けボルトを挿通して、これを締め付けることによって前記杭を把持する把持金物と、該把持金物に固定された鉛直ネジ用フランジと、該鉛直ネジ用フランジに設けられた鉛直ネジ孔と、該鉛直ネジ孔に螺合して昇降する鉛直ネジ棒とを有する鉛直調整治具を、地盤に立設されている杭の上部に設置する工程と、
前記杭の上部が通過自在な内径の孔を具備する底板を、前記鉛直調整治具の鉛直ネジ棒の上端に載置する工程と、
前記鉛直ネジ棒を昇降して、前記底板の鉛直方向の位置を調整する工程と、
側壁を貫通する水平ネジ孔が設けられた鞘管と、該鞘管の上端に固定された天板と、前記水平ネジ孔に螺合して前記鞘管の側壁を貫通して進退自在な水平ネジ棒とを有する水平調整治具を、前記底板に載置する工程と、
前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする。
【００１４】
（９）また、鉛直ネジ孔が設けられた鉛直ネジ用フランジと、該鉛直ネジ用フランジに昇降自在に螺合する鉛直ネジ棒とを有する鉛直調整治具を、地盤に立設されている杭の上部に設置する工程と、
前記杭の上部が通過自在な内径の孔を具備する底板を、前記鉛直調整治具の鉛直ネジ棒の上端に載置する工程と、
側壁を貫通する水平ネジ孔が設けられた鞘管と、該鞘管の上端に固定された天板と、前記水平ネジ孔に螺合して前記鞘管の側壁を貫通して進退自在な水平ネジ棒とを有する水平調整治具を、前記底板に載置する工程と、
前記鉛直ネジ棒を昇降して前記天板および鞘管および底板の鉛直方向の位置を調整する工程と、
前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする。
【００１５】
（１０）また、貫通孔が設けられたフランジを両端に具備する断面円弧状体であって、一方の断面円弧体のフランジと他方の断面円弧体のフランジとを対峙して、それぞれのフランジの貫通孔に締め付けボルトを挿通して、これを締め付けることによって前記杭を把持する把持金物と、該把持金物に固定された鉛直ネジ用フランジと、該鉛直ネジ用フランジに設けられた鉛直ネジ孔と、該鉛直ネジ孔に螺合して昇降する鉛直ネジ棒とを有する鉛直調整治具を、地盤に立設されている杭の上部に設置する工程と、
前記杭の上部が通過自在な内径の孔を具備する底板を、前記鉛直調整治具の鉛直ネジ棒の上端に載置する工程と、
側壁を貫通する水平ネジ孔が設けられた鞘管と、該鞘管の上端に固定された天板と、前記水平ネジ孔に螺合して前記鞘管の側壁を貫通して進退自在な水平ネジ棒とを有する水平調整治具を、前記底板に載置する工程と、
前記鉛直ネジ棒を昇降して前記天板および鞘管および底板の鉛直方向の位置を調整する工程と、
前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする。
【００１６】
（１１）また、鉛直ネジ孔が設けられた鉛直ネジ用フランジと、該鉛直ネジ用フランジに昇降自在に螺合する鉛直ネジとを有する鉛直調整治具を、地盤に立設されている杭の上部に設置する工程と、
側壁を貫通する水平ネジ孔が設けられた鞘管と、該鞘管の下端に固定された前記杭の上部が通過自在な内径の孔を具備する底板と、該鞘管の上端に固定された天板と、前記水平ネジ孔に螺合して前記鞘管の側壁を貫通して進退自在な水平ネジ棒とを有する水平調整治具を、鉛直ネジ棒の上端に載置する工程と
前記鉛直ネジ棒を昇降して前記底板の鉛直方向の位置を調整し、さらに、前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする。
【００１７】
（１２）また、貫通孔が設けられたフランジを両端に具備する断面円弧状体であって、一方の断面円弧体のフランジと他方の断面円弧体のフランジとを対峙して、それぞれのフランジの貫通孔に締め付けボルトを挿通して、これを締め付けることによって前記杭を把持する把持金物と、該把持金物に固定された鉛直ネジ用フランジと、該鉛直ネジ用フランジに設けられた鉛直ネジ孔と、該鉛直ネジ孔に螺合して昇降する鉛直ネジ棒とを有する鉛直調整治具を、地盤に立設されている杭の上部に設置する工程と、
側壁を貫通する水平ネジ孔が設けられた鞘管と、該鞘管の下端に固定された前記杭の上部が通過自在な内径の孔を具備する底板と、該鞘管の上端に固定された天板と、前記水平ネジ孔に螺合して前記鞘管の側壁を貫通して進退自在な水平ネジ棒とを有する水平調整治具を、鉛直ネジ棒の上端に載置する工程と
前記鉛直ネジ棒を昇降して前記底板の鉛直方向の位置を調整し、さらに、前記杭の外周面に前記水平ネジ棒の先端を当接して進退することによって前記鞘管および天板の水平位置を調整し且つ水平移動を拘束、あるいは、前記鞘管および天板の水平位置を調整した後、前記杭の外周面に前記水平ネジ棒の先端を当接して水平移動を拘束する工程と、
前記鞘管の内部にコンクリートまたはモルタルを充填する工程と、
前記天板に上部構造物を設置する工程とを有することを特徴とする。
【００１８】
（１３）また、前記鞘管の内部に充填したコンクリートまたはモルタルが固化した後に、  前記鉛直調整治具を撤去する工程を有することを特徴とする。
【発明の効果】
【００１９】
したがって、上部構造物と杭との接合が、コンクリートの使用を最少に抑えた簡素な構造または簡単な作業によって実現され、安価であって、容易且つ確実に位置調整および接合強度が保証される。
【発明を実施するための最良の形態】
【００２０】
以下、実施形態１、２、３として本発明の実施形態に係る上部構造物と杭との接合構造を、実施形態４、５、６として上部構造物と杭との接合方法を説明する。なお、以下の各図において、同じ部分または相当する部分には同じ符号を付し、一部の説明を省略する。
【００２１】
［実施形態１］
（接合構造その１）
図１は本発明の実施形態１に係る上部構造物と杭との接合構造を示す一部断面の側面図である。
図１において、上部構造物と杭との接合構造１ａ（以下、接合構造１ａと称す）は、地盤９に立設された杭２と、杭２の上部に設置された鉛直調整治具３ａと、鉛直調整治具３ａに支持された底板４と、底板４に載置された水平調整治具５ａと、杭２と水平調整治具５ａとの間に充填されたコンクリートまたはモルタル６（以下、コンクリート６と称す）と、水平調整治具５ａに設置された上部構造物の最も下に配置された鋼製基礎梁７１とを有している。以下、それぞれについて説明する。
【００２２】
（杭）
杭２の上部は地表９１（正確には、根切り９２の表面９３）から所定の高さだけ突出している。また、杭２の上部外周面にはフラットバー２１が溶接され、コンクリート６からの力の伝達をより確実にしている。また、杭２の上部は天蓋２２によって閉塞され、天蓋２２は杭２の内部へのコンクリート６の侵入を防止すると共に、コンクリート６を介して伝達される鉛直下向きに作用する力の一部を受け止めている。
【００２３】
なお、フラットバー２１の形状や数量、設置位置は限定するものではない。たとえば、フラットバー２１に代えて、一條または多状の円環状若しくは螺旋状の突状や、円弧状または棒状の突起等を、溶接接合あるいは一体的に形成したものであってもよい。
さらに、天蓋２２の設置位置は杭２の上端面に限定するものではなく、上端面から所定の距離だけ下方に入った位置であってもよい。このとき、杭２の上部内部に充填されたコンクリート６は、杭２の上部の強度を高める効果を奏する。さらに、天蓋２２が撤去され、杭２の全長にコンクリート６が充填されるものであってもよい。
また、実施形態１は、杭２が鋼管杭の場合について説明しているが、本発明はこれに限定するものではなく、コンクリート杭等に適用できるものである。このとき、フラットバー２１に相当する突条や突起を一体的に形成したり、別個に製造して設置したりしてもよい。
【００２４】
（鉛直調整治具）
図２は本発明の実施形態１に係る上部構造物と杭との接合構造における鉛直調整治具を示す、（ａ）は一部断面の平面図、（ｂ）は一部断面の正面図、（ｃ）は側面図である。
図１、２において、鉛直調整治具３ａは、複数本の鉛直ボルト３０と、鉛直ボルト３０を移動自在に支持する把持金物３１ａとを有している。
【００２５】
（把持金物）
把持金物３１ａは、円周方向の一箇所にスリットが加工された略Ｃ字状の環状金物３２と、環状金物３２の両端に設けられた締め付け用フランジ３３ａ、３３ｄと、環状金物３２の側面（凸面）に固定された鉛直ネジ用フランジ３７ａ、３７ｂ、３７ｃ、３７ｄを具備している。
締め付け用フランジ３３ａ、３３ｄにはそれぞれ締め付け用の締め付けボルト３５が挿通する締め付け用貫通孔３４ａ、３４ｄが設けられている。一方、鉛直ネジ用フランジ３７ａ、３７ｂ、３７ｃ、３７ｄ（以下、まとめて鉛直ネジ用フランジ３７と称す）には、鉛直ボルト３０が螺合する鉛直ネジ孔３８ａ、３８ｂ、３８ｃ、３８ｄ（以下、まとめて鉛直ネジ孔３８と称す）が設けられている。
【００２６】
したがって、把持金物３１ａを杭２の周囲に配置して、環状金物３２の締め付け用貫通孔３４ａ、３４ｄに締め付けボルト３５を挿通して、これを締め付けナット３６によって締め付ければ、把持金物３１ａは杭２を緊密に把持することになる。
一方、鉛直ネジ孔３８に螺合した鉛直ボルト３０を回転すれば、鉛直ボルト３０は昇降することになる。そして、緩み止めナット８１が螺合されているから、鉛直ボルト３０の緩みが防止される。
【００２７】
なお、鉛直ネジ孔３８の数は合計して３個以上であれば、いくつであってもよく、また、それぞれの鉛直ネジ用フランジ３７に設ける鉛直ネジ孔３８の数は１個に限定するものではない。さらに、緩み止めナット８１の設置を省略してもよい。
さらに、鉛直ボルト３０に代えて、所定の範囲に雄ネジが加工されているネジ付き棒（本発明において、ネジ付き棒、ボルト等をまとめてネジ棒と称す）を設置してもよい。また、鉛直ネジ孔３８に代えて貫通孔を設け、該貫通孔の位置にナットを配置（鉛直ネジ用フランジ３７の上面または下面に固定、または上面に載置）してもよく、同様に、締め付けナット３６に代えて、締め付け用フランジ３３ａ、３３ｄの一方に締め付け用のネジ孔を設けてもよい。
【００２８】
（底板）
底板４は、鋼板等を円環状に加工したものであって、その中心孔４１は、杭２（外周面にフラットバー２１が接合されている）の上部が通過自在な内径を有し、底板４の中心孔４１と杭２の外周面との間に隙間がある。したがって、水平調整治具５ａを水平方向に移動する際、底板４も移動自在なため、水平調整が容易になる。
一方、該隙間が大きい場合には、杭２と水平調整治具５ａとの間にコンクリート６を充填した際、コンクリート６が流れ出すおそれがある。このとき、該隙間を閉塞するために、杭２にゴムバンド等を縛着したり、前記中心孔４１の周囲にリップを設置したり、隙間に発泡スチロール等の「詰め物」を挿入したりしてもよい（これについては別途説明する）。
なお、図１において、鞘管５１は底板４に載置されているが、本発明はこれに限定するものではなく、鞘管５１と底板４とを溶接等によって接合してもよい。
【００２９】
（水平調整治具）
図３は本発明の実施形態１に係る上部構造物と杭との接合構造における水平調整治具を示す断面図である。
図１、３において、水平調整治具５ａは、複数本の水平ボルト５０と、水平ボルト５０を移動自在に支持する鞘管５１と、鞘管５１に固定された天板５２とを有している。
鞘管５１は、上端面と下端面が平行であって、側面を貫通して円周方向に複数の水平貫通孔５３が設けられ、水平貫通孔５３と略同軸になるように外側面に水平ナット５４が固定され、また、内周面にはフラットバー５５が溶接接合されている。
天板５２は、板材であって、コンクリート６を充填するためのコンクリート充填孔５６と、鋼製基礎梁７１を設置するための上部設置用貫通孔５７が設けられている。
【００３０】
したがって、水平調整治具５ａを、あらかじめ鉛直方向の位置調整がされた底板４の上に載置して、水平方向の位置を調整した後、水平ボルト５０の先端を杭２の外周面に当接して周囲から締め付ければ、水平方向の位置が変動することがない。
そして、緩み止めナット８２を螺合しておけば、水平ボルト５０の緩みが防止される。このとき、鉛直方向の位置は鉛直ボルト３０によってあらかじめ固定されているから、水平ボルト５０の当該締め付けによって、鉛直方向および水平方向の位置が固定されたことになる。
また、水平ボルト５０の先端を杭２の外周面に当接して、一方の水平ボルト５０を進出させ他方のボルト５０を後退することによって水平位置を調整すれば、作業が容易であって高い精度を保証することができる。また、底板４の上に水平調整治具５ａを載置した後、鉛直方向および水平方向の位置を調整してもよい。
なお、水平ボルト５０に代えて、鞘管５１にネジ孔を直接設けてもよい。また、フラットバー５５の形状や数量、設置位置は限定するものではない。たとえば、フラットバー５５に代えて、一條または多状の円環状若しくは螺旋状の突状や、円弧状または棒状の突起等を、溶接接合あるいは一体的に形成したものであってもよい。
【００３１】
（コンクリート）
コンクリート６は、前記鉛直方向および水平方向の位置調整が終了して後、天板５２を貫通するコンクリート充填孔５６を経由して、水平調整治具５ａの鞘管５１と杭２との間に充填されたものである。コンクリート６は固化した状態で、水平調整治具５ａの天板５２と杭２の天蓋２２との間に充満しているため、鋼製基礎梁７１を経由して作用する鉛直方向下向きの力の一部は、天板５２からコンクリート６を介して天蓋２２に伝達されることになる。
また、杭２の外周面および鞘管５１の内周面には、それぞれフラットバー２１およびフラットバー５５が溶接接合されているから、杭２と鞘管５１との間の力（鉛直方向の上向きおよび下向きの力や水平方向の力）はコンクリート６を介して確実に伝達されている。
【００３２】
すなわち、コンクリート６は最少の充填量であっても、接合機能を十分に発揮している。  一方、コンクリート６が固化するまでの間は上部構造物が接合されていないから、鉛直調整治具３ａは、この間に限り、底板４、水平調整治具５ａおよびコンクリート６を支持することできる程度に杭２を把持すればよく、コンクリート６が固化した後は撤去することができるものである。
【００３３】
［実施形態２］
（接合構造その２）
図４は本発明の実施形態２に係る上部構造物と杭との接合構造を示す一部断面の側面図である。
【００３４】
（鉛直調整治具）
図４において、上部構造物と杭との接合構造１ｂ（以下、接合構造１ｂと称す）の鉛直調整治具３ｂは、複数本の鉛直ボルト３０と、鉛直ボルト３０を移動自在に支持する鉛直ネジ用フランジ３７とからなっている。すなわち、実施形態１に示す把持金物３１ａを撤去して、鉛直ネジ用フランジ３７を杭２に直接溶接接合している。また、鉛直ネジ３８に代えて、ナット３９（以下、鉛直ナット３９と称す）が鉛直ネジ用フランジ３７の上に載置されている。
したがって、鉛直ナット３９に螺合する鉛直ボルト３０は、実施形態１と同様の作用効果を奏する。なお、鉛直ナット３９を鉛直ネジ用フランジ３７に固定してもよい。また、緩み止めナットを鉛直ネジ用フランジ３７の下方に配置してもよい。
【００３５】
（底板）
図５は本発明の実施形態２に係る上部構造物と杭との接合構造における底板を示す、（ａ）は平面図、（ｂ）は断面図である。
図５において、底板４は鋼板等を円環状に加工したものであって、その中心孔４１は杭２の上部が通過自在な内径を有している。また、底板４の中心孔４１の周囲には内側に向かって可撓性材料（たとえば、ゴム等）によって形成されたリップ４２が設置されている。リップ４２は円周方向で多数のスリット４３によって分断されているため、杭２の外周面との間の隙間の大きさに応じて容易に変形し、該隙間を閉塞するものである。
なお、図４において、鞘管５１は底板４に載置されているが、本発明はこれに限定するものではなく、鞘管５１と底板４とを溶接等によって接合してもよい。
【００３６】
（水平調整治具）
図６は本発明の実施形態２に係る上部構造物と杭との接合構造における水平調整治具を示す断面図である。
図４、６において、水平調整治具５ｂの鞘管５１には、側面を貫通して水平ネジ孔５９が設けられ、内周面には螺旋状に多条の突条５８が一体的に形成されている。
すなわち、多条の突条５８が圧延において形成された鋼板を螺旋状に成形して側縁部を相互に溶接接合してなる「リブ付き鋼管」を、所定の長さに切断したものである。
したがって、水平ネジ孔５９に螺合する水平ボルト５０は、実施形態１と同様の作用効果を奏する。なお、水平ボルト５０に緩み止めナットを螺合してもよい。
【００３７】
（杭）
また、実施形態２は、杭２が鋼管杭の場合について説明しているが、本発明はこれに限定するものではなく、コンクリート杭等に適用できるものである。このとき、接合構造１ｂをコンクリート杭に設置する場合には、鉛直ネジ用フランジ３７をあらかじめコンクリート杭に埋め込んだり、鉛直ネジ用フランジ３７を溶接接合することができる鋼製の台座や帯材をコンクリート杭の外周面に設けたりすることになる。
【００３８】
［実施形態３］
（接合構造その３）
図７本発明の実施形態３に係る上部構造物と杭との接合構造を示す一部断面の側面図である。
図７において、上部構造物と杭との接合構造１ｃ（以下、接合構造１ｃと称す）は、底板４が水平調整治具５ｃに固定され、水平調整治具５ｃ内に充填されたコンクリート６が固化した後に、鉛直調整治具３ｃが撤去されたものである。
【００３９】
（鉛直調整治具の把持金物）
図８は本発明の実施形態３に係る上部構造物と杭との接合構造における鉛直調整治具の把持金物を示す、（ａ）は一部断面の平面図、（ｂ）は一部断面の正面図、（ｃ）は側面図である。
図８において、鉛直調整治具３ｃの把持金物３１ｃは、半円状の半割金物３２ａ、３２ｃと、半割金物３２ａの端部に設けられた締め付け用フランジ３３ａ、３３ｂと、半割金物３２ｃの端部に設けられた締め付け用フランジ３３ｃ、３３ｄ（以下、まとめて締め付け用フランジ３３と称す）と、半割金物３２ａの側面（凸面）に固定された鉛直ネジ用フランジ３７ａ、３７ｂと、半割金物３２ｃの側面（凸面）に固定された鉛直ネジ用フランジ３７ｃ、３７ｄとを有している。
また、締め付け用フランジ３３には、締め付け用ボルト（図示しない）が挿通する締め付け用貫通孔３４ａ、３４ｂ、３４ｃ、３４ｄ（以下、まとめて締め付け用貫通孔３４と称す）がそれぞれ設けられている。
【００４０】
したがって、締め付け用フランジ３４ａと締め付け用フランジ３４ｄとを、また、締め付け用フランジ３４ｂと締め付け用フランジ３４ｃとをそれぞれ対峙させ、それぞれの締め付け用貫通孔２４に締め付け用ボルト（図示しない）を挿通して、これをナット（図示しない）によって締め付ければ、把持金物３１ｃは杭２を緊密に把持することになる。
そして、コンクリート６が固化したのち、前記締め付け用ボルトを緩めて撤去すると、把持金物３１ｃは、２つの半割金物３２ａ、３２ｃに分離し、杭２から容易に撤去されることになる。
【００４１】
なお、把持金物３１ｃの締め付け用フランジ３３ｂと締め付け用フランジ３３ｃとを蝶番によって開閉自在に連結してもよい。
また、実施形態２に示すように、鉛直ネジ用フランジ３７を杭２に直接溶接接合しておき、コンクリート６が固化した後に、これを撤去してもよい。
【００４２】
（水平調整治具）
図９は本発明の実施形態３に係る上部構造物と杭との接合構造における水平調整治具を示す断面図である。
図７、９において、水平調整治具５ｃの鞘管５１には、あらかじめ底板４が固定されている。また、側面には円周方向に複数の水平貫通孔５３が設けられ、内周面にはフラットバー５５が溶接接合されている。
そして、鞘管５１の水平貫通孔５３の位置に対応して、フラットバー５５に水平ネジ孔５９が設けられている。
したがって、杭２に鉛直調整治具３ｃを設置し、鉛直ボルト（図示しない）の上に水平調整治具５ｃ（底板４が固定されている）を載置し、鉛直位置および水平位置を調整し、水平ボルト５０によって杭２を把持すれば、水平調整治具５ｃは移動しないことになる。
なお、杭２の外周面と底板４の中心孔４１との隙間に、詰め物４４が嵌挿されているから、充填されたコンクリート６が該隙間から流れ出すことがない。なお、詰め物４４は断面三角形で円弧状に成形された発泡スチロールであるが、その材質や形状は限定するものではなく、実施形態２に示すリップ４２を設置してもよい。
【００４３】
（杭）
図７において、天蓋２２が杭２の上端部から所定の距離だけ下方に入った位置に設置されている。したがって、鞘管５１の内部に充填されたコンクリートは、杭２の内部にも充満している。このとき、杭２の上部は補強されると共に、天板５２から鉛直下方に作用する力（圧縮力）の一部が、鞘管５１の内周面（フラットバー５５が溶接接合されている）から杭２に伝達されることになる。なお、天蓋２２の設置位置は限定するものではない。また、天蓋２２を設置しないで、杭２３の全長にコンクリート６を充填してもよい。
また、杭は実施形態１、２に準じてコンクリート杭であってもよい。
【００４４】
（上部構造物）
図７において、上部構造物の鋼管柱７２が配置され、鋼管柱７２の下端に固定されたベースプレート７３が天板５２に設置されている。なお、天板５２に設置される上部構造物の部位は限定するものではない。
【００４５】
［実施形態４］
（接合方法その１）
図１０は本発明の実施形態４に係る上部構造物と杭との接合方法を示すフロー図である。図１０において、上部構造物と杭との接合方法１（以下、接合方法１と称す）は、
鉛直調整治具を、地盤に立設されている杭の上部に設置する工程（ステップ１）と、
底板を、前記鉛直調整治具の鉛直ネジ棒の上端に載置する工程（ステップ２）と、
該鉛直ネジ棒（鉛直ボルトに同じ）を昇降して、前記底板の鉛直方向の位置を調整する工程（ステップ３）と、
水平調整治具を、前記底板に載置する工程（ステップ４）と、
水平調整治具の水平位置を調整して、水平移動を拘束する工程（ステップ５）と、
該水平調整治具（鞘管に同じ）と前記杭との間にコンクリートまたはモルタルを充填する工程（ステップ６）と、
前記水平調整治具（天板に同じ）に上部構造物を設置する工程（ステップ７）と、
前記鉛直調整治具を撤去する工程（ステップ８）とを有する。
【００４６】
なお、鉛直調整治具、底板、水平調整治具、コンクリートは、それぞれ、実施形態１または２に示したものであるため、説明を省略する。
したがって、接合方法１によれば、上部構造物と杭との接合が、コンクリートの使用を最少限に抑えた簡素な構造の接合治具類による、簡単な作業によって実現され、安価であって、容易且つ確実に位置調整および接合強度が保証される。なお、鉛直調整治具を撤去しないで、鉛直調整治具を設置したままにしてもよい。
【００４７】
［実施形態５］
（接合方法その２）
図１１は本発明の実施形態５に係る上部構造物と杭との接合方法を示すフロー図である。図１１において、上部構造物と杭との接合方法２は、
鉛直調整治具を、地盤に立設されている杭の上部に設置する工程（ステップ１）と、
底板を、前記鉛直調整治具の鉛直ネジ棒の上端に載置する工程（ステップ２）と、
水平調整治具を、前記底板に載置する工程（ステップ３）と、
水平調整治具と底板の鉛直位置および水平位置を調整して、水平移動を拘束する工程（ステップ４）と、
該水平調整治具（鞘管に同じ）と前記杭との間にコンクリートまたはモルタルを充填する工程（ステップ５）と、
前記水平調整治具（天板に同じ）に上部構造物を設置する工程（ステップ６）と、
前記鉛直調整治具を撤去する工程（ステップ７）とを有する。
【００４８】
すなわち、接合方法１の底板の鉛直方向の位置を調整する工程（接合方法１のステップ３）を省略して、水平調整治具の鉛直位置および水平位置を略同時的に調整するものである。なお、鉛直調整治具、底板、水平調整治具、コンクリートは、それぞれ、実施形態１または２に示したものであるため、説明を省略する。
したがって、上部構造物と杭との接合が、コンクリートの使用を最少に抑えた簡素な構造の接合治具類による、簡単な作業によって実現され、安価であって、容易且つ確実に位置調整および接合強度が保証される。なお、鉛直調整治具を撤去しないで、鉛直調整治具を設置したままにしてもよい。
【００４９】
［実施形態６］
（接合方法その３）
図１２は本発明の実施形態６に係る上部構造物と杭との接合方法を示すフロー図である。図１２において、上部構造物と杭との接合方法３は、
鉛直調整治具を、地盤に立設されている杭の上部に設置する工程（ステップ１）と、
底板が固定された水平調整治具を、前記鉛直調整治具の鉛直ネジ棒の上端に載置する工程（ステップ２）と、
底板が固定された水平調整治具の鉛直位置および水平位置を調整して、水平移動を拘束する工程（ステップ３）と、
該水平調整治具（鞘管に同じ）と前記杭との間にコンクリートまたはモルタルを充填する工程（ステップ４）と、
前記水平調整治具（天板に同じ）に上部構造物を設置する工程（ステップ５）と、
前記鉛直調整治具を撤去する工程（ステップ６）とを有する。
なお、鉛直調整治具、底板、水平調整治具、コンクリートは、それぞれ、実施形態３に示したものであるため、説明を省略する。
したがって、上部構造物と杭との接合が、コンクリートの使用を最少に抑えた簡素な構造の接合治具類による、簡単な作業によって実現され、安価であって、容易且つ確実に位置調整および接合強度が保証される。なお、鉛直調整治具を撤去しないで、鉛直調整治具を設置したままにしてもよい。
【産業上の利用可能性】
【００５０】
本発明は以上の構成であるから、杭やコンクリート杭等の各種杭と上部構造物とを接合する接合構造および接合方法として広く利用することができる。
【図面の簡単な説明】
【００５１】
【図１】本発明の実施形態１に係る接合構造を示す一部断面の側面図。
【図２】本発明の実施形態１に係る接合構造における鉛直調整治具を示す、（ａ）は一部断面の平面図、（ｂ）は一部断面の正面図、（ｃ）は側面図。
【図３】本発明の実施形態１に係る接合構造における水平調整治具を示す断面図。
【図４】発明の実施形態２に係る接合構造を示す一部断面の側面図。
【図５】本発明の実施形態２に係る接合構造における底板を示す、（ａ）は平面図、（ｂ）は断面図。
【図６】本発明の実施形態２に係る接合構造における水平調整治具を示す断面図。
【図７】本発明の実施形態３に係る接合構造を示す一部断面の側面図。
【図８】本発明の実施形態３に係る接合構造における鉛直調整治具の把持金物を示す、（ａ）は一部断面の平面図、（ｂ）は一部断面の正面図、（ｃ）は側面図。
【図９】本発明の実施形態３に係る接合構造における水平調整治具を示す断面図。
【図１０】本発明の実施形態４に係る接合方法を示すフロー図。
【図１１】本発明の実施形態５に係る接合方法を示すフロー図。
【図１２】本発明の実施形態６に係る接合方法を示すフロー図。
【符号の説明】
【００５２】
１ａ 接合構造、１ｂ：接合構造、１ｃ：接合構造、２：杭、３ａ：鉛直調整治具、３ｂ：鉛直調整治具、３ｃ：鉛直調整治具、４：底板、５ａ：水平調整治具、５ｂ：水平調整治具、５ｃ：水平調整治具、６：コンクリート、２１：フラットバー、２２：天蓋、３０：鉛直ボルト、３１ａ：把持金物、３１ｃ：把持金物、３２：環状金物、３２ａ：半割金物、３２ｃ：半割金物、３３：締め付け用フランジ、３４：締め付け用貫通孔、３５：締め付け用ボルト、３６：締め付け用ナット、３７：鉛直ネジ用フランジ、３８：鉛直ネジ孔、３９：鉛直ナット、４１：中心孔、４２：リップ、４３：スリット、５０：水平ボルト、５１：鞘管、５２：天板、５３：水平貫通孔、５４：水平ナット、５５：フラットバー、５６：コンクリート充填孔、５７：上部設置用貫通孔、５８：突条、５９：水平ネジ孔、７１：鋼製基礎梁、７２：鋼管柱、７３：ベースプレート、８１：緩み止めナット、８２：緩み止めナット、９１：地表、９２：根切り、９３：表面
【図１】
2005226309.tif 000003
【図２】
2005226309.tif 000004
【図３】
2005226309.tif 000005
【図４】
2005226309.tif 000006
【図５】
2005226309.tif 000007
【図６】
2005226309.tif 000008
【図７】
2005226309.tif 000009
【図８】
2005226309.tif 000010
【図９】
2005226309.tif 000011
【図１０】
2005226309.tif 000012
【図１１】
2005226309.tif 000013
【図１２】
2005226309.tif 000014